(57)【要約】【課題】２個の差込み要素間の取外し可能な接続が、各々短絡インサートを介して形成されるプラグ・ソケットコネクタの提供。【解決手段】第１差込み要素２及びインサート３間に、第１保持手段１０，１６，１７が設けられる。また、インサート３及び第２差込み要素５間に、第２保持手段１８，１９，４７，４８が設けられる。第１及び第２の差込み要素２，５は、このようにしてインシュレータ３を介して接続される。第２差込み要素５は、プラグ・ソケットコネクタがロックされる際に、第１及び第２の保持手段をロック位置に保持する施錠アーム３０，３１を有する摺動要素２６を具備する。【選択図】図４
2005302715.tif 000002
【特許請求の範囲】
【請求項１】
２個の差込み要素、該２個の差込み要素のうち第１差込み要素内に配置された第１電気コンタクト、前記第１差込み要素内に設けられた短絡バーを有するインサート、前記第１差込み要素に前記インサートを固定する第１保持手段、及び前記２個の差込み要素のうち第２差込み要素に設けられた第２電気コンタクトを具備し、前記２個の差込み要素が接続されると、前記第１及び第２の電気コンタクトが互いに接触すると共に前記短絡バーが短絡解除する電気プラグ・ソケットコネクタにおいて、
前記第２差込み要素を前記インサートに固定する第２保持手段が設けられていることを特徴とする電気プラグ・ソケットコネクタ。
【請求項２】
前記第１保持手段は、溝及びロック突起からなるロック手段の形態で構成されていることを特徴とする請求項１記載の電気プラグ・ソケットコネクタ。
【請求項３】
前記第２保持手段は、溝及びロック突起からなるロック手段の形態で構成されていることを特徴とする請求項１又は２記載の電気プラグ・ソケットコネクタ。
【請求項４】
前記第１保持手段は溝を有し、
前記インサートは、前記溝内にロックされる第１ロック突起を有することを特徴とする請求項２又は３記載の電気プラグ・ソケットコネクタ。
【請求項５】
前記第１保持突起は第１ロックフック上に形成されていることを特徴とする請求項４記載の電気プラグ・ソケットコネクタ。
【請求項６】
前記インサートは第２ロック突起を有し、
前記第２差込み要素は第２溝を有し、
前記第２ロック突起は前記第２溝に係止することを特徴とする請求項３ないし５のうちいずれか１項記載の電気プラグ・ソケットコネクタ。
【請求項７】
第２ロック突起は第２ロックフック上に形成されていることを特徴とする請求項６記載の電気プラグ・ソケットコネクタ。
【請求項８】
前記第１及び第２のロックフックは、互いに隣接して配置されると共にスロットにより分離され、
施錠要素が設けられ、
施錠位置において、前記２個のロックフックが前記第１及び第２の溝から弾発できないように前記施錠要素が前記２個のロックフック間のスロット内に導入可能であることを特徴とする請求項５ないし７のうちいずれか１項記載の電気プラグ・ソケットコネクタ。
【請求項９】
前記第１及び第２の保持手段として、２対の第１及び第２の保持フック及び第１及び第２の溝が設けられ、
前記第１及び第２の保持フックは前記インサートの対向する両側に形成されていることを特徴とする請求項５ないし７のうちいずれか１項記載の電気プラグ・ソケットコネクタ。
【請求項１０】
前記差込み要素は第１差込み部を具備し、
前記第２溝は、前記第２突起を受容するために前記第１差込み部上に形成され、
前記第２差込み要素内に摺動部材が変位可能に保持され、
該摺動部材は、施錠要素及びロック要素を具備し、
ロック位置において、該ロック要素は前記第２差込み要素の別のロック要素とインタロックし、
前記ロック位置において、前記第１及び第２の保持手段は、前記施錠要素により保持位置に保持されることを特徴とする請求項１ないし９のうちいずれか１項記載の電気プラグ・ソケットコネクタ。
【請求項１１】
前記摺動部材は、該摺動部材の前記ロック位置において前記短絡バーを開く施錠解除要素を具備することを特徴とする請求項１０記載の電気プラグ・ソケットコネクタ。
【発明の詳細な説明】
【技術分野】
【０００１】
本発明は、２個の差込み要素を具備する電気プラグ・ソケットコネクタに関する。
【背景技術】
【０００２】
代表的にはプラグコネクタと称される電気プラグ・ソケットコネクタは、広い範囲の技術分野、特に自動車工学において使用されている。プラグ・ソケットコネクタは、点火装置（イグナイタ）が制御線に接続されたエアバッグシステムへの接続に特に適している。衝突検出の際、制御機器により制御線を介して起爆電流が点火装置に流れる。起爆電流を受信すると、点火装置はエアバッグを膨張させるので、自動車の乗客を保護する。
【０００３】
特許文献１は、２個の要素からなるエアバッグ用の電気接続システムを開示する。第１要素は、第２要素のコンタクトスリーブの電気的接触用に設けられた１対のコンタクトピンを具備する。また、ロック突起を介して第１要素の溝内にロックされた短絡インサートは、第１部品に挿入される。短絡インサートは、第２要素の差込み一の機能として第１要素の２個のコンタクトピン間に導電接続を形成する短絡端子を具備する。第２要素は、第１要素の溝に係止すると共に施錠された位置において第２要素の施錠手段によりロック位置に保持されるロック手段を具備する。このため、第１及び第２要素間の確実な接続が形成される。
【０００４】
特許文献２は、２個の接続要素からなる電気接続システムを具備する。第１接続要素は、第２接続要素のコンタクトスリーブの電気コンタクト用に設けられたコンタクトピンを具備する。ロック突起を介して第１接続要素の溝とインタロックする短絡プレートも、第１接続要素に挿入される。第２接続要素が差し込まれていない場合に２個の差込みコンタクト間の導電接続を形成する短絡端子は、短絡プレートに挿入される。第２接続要素は、第１接続要素の溝内にロックし２個の接続要素を取外し可能に接続するロックフックを具備する。差込み状態において、第２接続要素のコンタクトスリーブは、第１接続要素のコンタクトピンを介して挿入される。また、第２接続要素は、差込み位置においてプラグコンタクトから離れる方向に短絡端子を押圧して短絡回路を開放するアームを具備する。また、第２接続要素は、ロック位置において溝内にロックフックを保持する固定アームを有するスライダを具備する。従って、第２接続要素はスライダを駆動することなく分離することができない。
【特許文献１】米国特許第５３１４３４５号明細書
【特許文献２】米国特許第５２７５５７５号明細書
【特許文献３】米国特許第５９２４８８５号明細書
【特許文献４】独国特許出願公開第４４３０３５８号明細書
【特許文献５】独国特許出願公開第１９６１９３２３号明細書
【特許文献６】独国特許出願公開第１９９３９４０７号明細書
【特許文献７】独国特許出願公開第１０２０２９２０号明細書
【発明の開示】
【発明が解決しようとする課題】
【０００５】
本発明は、簡単な構造を可能にする２個の差込み要素を具備する電気プラグ・ソケットコネクタを提供することを目的とする。本発明は、輸送中に損傷を受け難い２個の差込み要素を具備する電気プラグ・ソケットコネクタを提供することを別の目的とする。
【課題を解決するための手段】
【０００６】
上述及び別の目的は、本発明に従った電気プラグ・ソケットコネクタにより達成される。請求項１に従った電気プラグ・ソケットコネクタは、２個の差込み要素間の取外し可能な接続が各々、短絡インサートを介して形成されるという利点を有する。また、インサートが第１差込み要素内に保持できる第１保持手段が設けられる。また、第２差込み要素がインサート内に保持できる第２保持手段が設けられる。このため、従来技術とは対照的に、２個の差込み要素が共に直接保持されず、むしろ２個の差込み要素の各々がインサート上に保持される。この新規な保持構造により、２個の差込み要素及びインサートの構造において構成変更の余裕を与えることができる。
【０００７】
電気プラグ・ソケットコネクタの別の有利な構成は、従属請求項に記載されている。
【０００８】
第１及び第２保持手段は好ましくはロック手段の形態で構成され、ロック手段は溝及びロック突起の形態である。溝及びロック突起の接続は、差込み要素及びインサート間の簡単な挿入工程により得られる接続部を提供する、公知で信頼性の高い手段である。
【０００９】
別の好適な一実施形態において、ロック突起は、弾性を有するロックフック上に構成される。差込み要素及びインサート間の取外し可能な接続は、弾性ロックフックの構成により得られる。このため、差込み要素及びインサート間の接続は、単にロックフックを曲げることにより解除することができる。
【００１０】
典型的な一実施形態において、内部ロックフック及び外部ロックフックはインサート上で互いに隣り合って配置され、ロックフックのロック突起は互いに逆方向に配置される。ロックフックは、第１及び第２差込み要素の各々に関連する。ロックフックのこの配置により、ロックフック間にプレートを挿入することにより、２個のロックフックを簡単に施錠することができる。このため、２個のロックフックは、プレートによりロック位置に施錠できる。また、施錠要素を簡単な構造にする。
【００１１】
別の一実施形態において、インサートの対向する側面上に構成された２対の内部及び外部ロックフックが設けられる。これは、インサート内への対称的で一様な保持力の導入を提供する。この構造は、インサートに対する差込み要素の傾きを防止する。
【００１２】
プラグ・ソケットコネクタの別の一実施形態において、施錠要素は第２差込み要素の摺動要素に結合される。また、摺動要素を用いて第２差込み要素上のロック位置で取外し可能に保持されるロック手段も設けられる。摺動要素のロック位置において、施錠要素は、第１及び第２ロックフックに隣接して配置され、ロック位置で２個のロックフックを画定する。ばね要素を介してロック位置に抗して付勢される摺動要素を設けることにより、２個の差込み要素のインサートとの確実なロックを容易に監視することができる。また、摺動要素は好ましくは、摺動要素のロック位置で短絡バーを開く施錠解除要素を具備する。ロックフックはこうしてロック位置に固定され、短絡バーは摺動要素の単一の駆動により開かされる。これにより、プラグ・ソケットコネクタの組立体における簡単な操作が可能になる。
【発明を実施するための最良の形態】
【００１３】
以下、添付図面を参照して本発明をより詳細に説明する。
【００１４】
図１に示されるように、プラグ・ソケットコネクタ１は、第１差込み要素２、インサート３、短絡バー４及び第２差込み要素５を実質的に具備する。プラグ・ソケットコネクタ１は、例えば点火装置用プラグ・ソケットコネクタである。図示の典型的な実施形態において、第１差込み要素２は点火装置であり、第２差込み要素５は点火ユニット用、特に自動車のエアバッグシステム用の点火装置プラグである。第１差込み要素２は、筒状凹部６が形成されたハウジング９を有する。ハウジング９は、プラグコンタクト８が保持されるハウジング床７を有する。凹部６の側壁において、第１周辺溝１０がハウジング９に形成される。ハウジング９は、凹部６を画定する周辺縁領域１１を有する。縁領域１１は、挿入溝１２により凹部の対向する２個の側面で狭くなっている。挿入溝１２は、凹部６の軸方向に延びると共に縁領域１１から第１凹部１０内へ導く。挿入溝１２により、インサート３を凹部６内により容易に挿入することができる。簡単な一実施形態では、挿入溝１２は無くてもよい。
【００１５】
インサート３の外輪郭はほぼ筒状である。両側壁１４により画定される第２凹部１３がインサート３に形成される。短絡バー４を保持する、対向する保持凹部１５が、両側壁１４の内側に設けられる。
【００１６】
また、対向する両側には両側壁１４が離間設定され、外部及び内部ロックフック１６，１７，１８，１９を具備する個々のロックフック対が間隙内に設けられる。
【００１７】
短絡バー４は、対向する隅部に各ばねクリップ２０，２１を有するほぼ矩形のフレームからなる。
【００１８】
第２差込み要素５は、プラグハウジング２２、導電体を有するスリーブコンタクト２３、フェライトブロック２４、ストレインリリーフ要素２５、摺動要素２６及び電気ケーブル２７を具備する。プラグハウジング２２は、プラグハウジング２２から突出する差込み要素部２８を具備する。スリーブコンタクト２３は差込み部２８内に挿入され保持される。また、プラグハウジング２２は、摺動要素２６がプラグハウジング２２内に挿入されて変位可能に保持される第３凹部２９を有する。摺動要素２６は、第１施錠アーム３０、第２施錠アーム３１、固定アーム３３及び施錠解除アーム３４が垂直下方に延びるハウジングプレート３２を有する。固定要素３３は、輸送固定要素として設けられると共にハウジングプレート３２の端面の中央に構成される。第１及び第２施錠アーム３０，３１は、対向する両横領域のハウジングプレート３２から出てくる。施錠解除アーム３４は固定アーム３３及び第２施錠アーム３１の間に配置される。
【００１９】
図２は、実装されたインサート３がロックされ、短絡バー４が実装された状態の差込み要素２を示す。組立のために、外部ロックフック１６，１７を有するインサート３は挿入溝１２に向かって整列され、外部ロックフック１６，１７を若干曲げることにより、外部ロックフック１６，１７が第１差込み要素２の第１溝１０に係止するまで第１差込み要素２の凹部内に内方へ挿入される。次に、インサート３が組立位置に対して回転されるので、外部ロックフック１６，１７は挿入溝１２の下で最早正確には配置されない。挿入溝１２は円の一部である円弧形状であるのが好ましい。従って、外部ロックフック１６，１７のロック突起も好適には、円の一部である円弧形状に丸められる。
【００２０】
インサート３に実装される短絡バー４の２個のばねクリップ２０，２１はプラグコンタクト８に当接するので、これら２個のプラグコンタクト８間を導電接続する。外部ロックフック１６，１７は、スロット３５を介して関連する内部ロックフック１８，１９から離間して設定されている。好適な一実施形態において、縁領域１１は内部縁上に縁環状周辺面取り３６を有する。面取り３６により、インサート３の調節及び導入をより容易にでき、面取り３６の外径は第１差込み要素２の凹部の内径にほぼ対応する。インサート３を取り外すために、及び外部ロックフック１６，１７をスロット３５内へ内方に曲げるために、或る器具が使用されるので、インサート３を第１差込み要素２から取り外すことができる。取外しのために、インサート３は挿入溝１２の下の第１及び第２外部ロックフック１６，１７で押圧されることが好ましい。この位置において、特に簡単な器具の配置が可能である。
【００２１】
図３は、組立後の第２差込み要素５を下から見た斜視図である。プラグハウジング２２は、差込み部２８が延びるプラグ基部４５を有する。中央前側の領域において、固定アーム３３が突出する第１開口３７がプラグ基部４５に形成される。また、第１及び第２施錠アーム３０，３１が配置された第２開口３８及び第３開口３９が、差込み部２８の両側面のプラグ基部４５内に設けられる。また、短絡バー４を施錠解除するために施錠解除アーム３４が突出する第４開口４０が、差込み部２８に隣接するプラグ基部４５内に形成される。図示された位置において、摺動要素２６は、ハウジングプレート（図３に不図示）がプラグハウジング２２の上縁から離間して設定された状態で開始位置にある。
【００２２】
差込み部２８はプラグ基部４５に対してほぼ垂直下方に延びており、プラグ基部４５とほぼ平行な差込み表面４６を有する。スリーブコンタクト２３が挿入される第１コンタクト開口４１及び第２コンタクト開口４２は、差込み面４６に形成される。また、第１及び第２コンタクト開口４１，４２にそれぞれ隣接する差込み面４６は、外部領域において上方にセットバックされている。差込み部２８は、第１コンタクト開口４１に隣接した第１肩４３、及び第２コンタクト開口４２に隣接した第２肩４４を有する。第１及び第２の肩４３，４４は、差込み部２８が第１差込み要素２内に挿入完了すると、プラグコンタクト８と接触するために第１及び第２ばねクリップ２０，２１用空間を確保する。
【００２３】
差込み部２８は、両横面上のプラグ基部４５近傍に第３溝４７及び第４溝４８を有する。インサート３の第２凹部１３の断面及び差込み部２８の断面の外輪郭は互いに適当するようになっているので、第１及び第２の差込み要素２，５の決定された一差込み位置のみが可能である。従って、第１及び第２の施錠アーム３０，３１はスロット３５に向かって整列し、施錠解除アーム３４は２個のばねクリップ２０，２１の一方に向かって整列する。
【００２４】
図４は、インサート（図４には参照番号を付していない）及び短絡バー４を有する第１差込み要素２及び第２差込み要素５の断面図である。インサートは、第１溝１０（図１参照）内で外部ロックフック１６，１７でロックされている。本図において、第１ばねクリップ２０はプラグコンタクト８に隣接して部分的に切断された状態で示される。また、第２ばねクリップ２１（図２参照）も第２プラグコンタクト８に隣接しているが、図４には示されていない。第１及び第２の外部ロックフック１６，１７の各々は、第１溝に係止する、外方を向いたロック突起４９を有する。第１及び第２の内部ロックフック１８，１９の各々は、内方を向いたロック突起５０を有する。第２差込み要素５は第１差込み要素２上で断面で示される。
【００２５】
図５に示されるように、第２差込み要素５は嵌合位置において第１差込み要素２内に挿入される。嵌合位置において、第１及び第２のコンタクトであるプラグコンタクト８及びスリーブコンタクト２３は接続され、電気的に接触する。また、差込み部２８は、インサート３内の第２凹部１３（図１参照）内に挿入完了される。挿入の際、内部ロックフック１８，１９は、それらの第２ロック突起５０が差込み部２８の第３及び第４の溝４７，４８に到達するまで、スロット３５の領域内へ外方に曲げられる。第３及び第４の溝４７，４８に到達すると、第２ロック突起５０は第３及び第４の溝４７，４８内へ変位する。この位置で、第１及び第２のコンタクト８，２３が導電接続され、第１差込み要素２がインサート３とロックし、インサート３は第２差込み要素５とロックする。しかし、差込み要素２，５及びインサート３間のロック接続はまだ確実になっていない。また、短絡バー４は第１及び第２のばねクリップ２０，２１を介して２個の差込みコンタクト８に依然として導電接続されている。摺動要素２６は、ハウジングプレート３２に接続されたロックプレート５１を有する。また、摺動要素２６の摺動方向に沿ってロックプレート５１の下に配置されたロック要素５２は、プラグハウジング２２上に配置されている。
【００２６】
図６は、ロック位置におけるプラグ・ソケットコネクタ１の断面を示す。図５から始まってロック位置に到達するために、摺動要素２６はプラグハウジング２２内に深く押圧される。第１及び第２の施錠アーム３０，３１は外部及び内部のロックフック対１６，１７，１８，１９間のスロット３５内に摺動する。外部及び内部のロックフック１６，１７，１８，１９がその位置に固定されるので、第１差込み要素２及びインサート３間のロック接続及び第２差込み要素５及びインサート３間のロック接続の取外しは最早可能ではない。また、摺動要素２６の挿入により、差込み部２８の外側の施錠解除アーム３４を第１ばねクリップ２０のところまで下方へ押圧させ、第１ばねクリップ２０は関連するプラグコンタクト８により離れる方向に曲げられる。短絡バー４の短絡機能はこのようにして解除される。また、ロックプレート５１はロック要素５２を介して摺動するので、摺動要素２６はロックプレート５１及びロック要素５２によりロック位置に保持される。この目的のために、ロックプレート５１及びロック要素５２は、溝及び突起等の対応するロック手段を具備する。
【００２７】
第１及び第２の差込み要素２，５間の接続を解除するために、ロックプレート５１及びロック要素５２間のロック接続は器具を使用して解除するのが好適であり、摺動要素２６はプラグハウジング２２から上方へ移動する。このため、スロット３５が空くので、第２差込み要素５は、内部ロックフック１８，１９を外方に曲げることによりインサート３から除去できる。
【図面の簡単な説明】
【００２８】
【図１】本発明の典型的な一実施形態に従ったプラグ・ソケットコネクタの分解斜視図である。
【図２】図１のプラグ・ソケットコネクタの第１差込み要素を示す斜視図である。
【図３】図１のプラグ・ソケットコネクタの第２差込み要素を示す斜視図である。
【図４】挿入されたインサートを有する図２の第１差込み要素及び図３の第２差込み要素の断面図である。
【図５】第１差込み要素及び第２差込み要素が嵌合状態にある、図１及び４３のプラグ・ソケットコネクタの断面図である。
【図６】ロックされたプラグ・ソケットコネクタの断面図である。
【符号の説明】
【００２９】
１          プラグ・ソケットコネクタ
２          第１差込み要素
３          インサート
４          短絡バー
５          第２差込み要素
８          プラグコンタクト（第１電気コンタクト）
１０        第１溝（第１保持手段）
１６，１７  第１ロックフック（第１保持手段）
１８，１９  第２ロックフック（第２保持手段）
２３        スリーブコンタクト（第２電気コンタクト）
２６        摺動要素
２８        差込み部
３０，３１  施錠アーム（施錠要素）
３４        施錠解除アーム（施錠解除要素）
３５        スロット
４７，４８  溝
４９        第１ロック突起
５０        第２ロック突起
５１        ロックプレート（ロック要素）
５２        ロック要素
【図１】
2005302715.tif 000003
【図２】
2005302715.tif 000004
【図３】
2005302715.tif 000005
【図４】
2005302715.tif 000006
【図５】
2005302715.tif 000007
【図６】
2005302715.tif 000008